(57)【要約】      （修正有）【課題】温暖なウエットティッシュを提供できると共に、乳児にウエットティッシュを使用する機会が多いことから、哺乳瓶も加熱できる機能を具え、哺乳瓶加熱が不要な時には収合して一般のウエットティッシュケースとして使用できるウエットティッシュと哺乳瓶加熱装置の提供。【解決手段】上蓋、底座で構成されてウエットティッシュを収容する箱体の一側に哺乳瓶が挿入されるスライドシートがスライド式に組み合わされ、箱体の上蓋の上面にウエットティッシュの抜き取り口が設けられ、スライドシートの上面に哺乳瓶の瓶挿入口が設けられ、スライドシートが引き出しのようにスライド式に箱体を進出し、スライドシート底部にトレイが設けられ、トレイの下に電熱装置が設けられて箱体及びスライドシート内部に置かれたウエットティッシュ或いは哺乳瓶を加熱する。【選択図】図３
0003108120.tif 000002
【実用新案登録請求の範囲】
【請求項１】
上蓋、底座で構成されてウエットティッシュを収容する箱体と、哺乳瓶が挿入されるスライドシート及び電熱装置で構成され、該箱体の一側に滑り溝が形成され、箱体の上蓋上面にウエットティッシュの抜き取り口が設けられ、抜き取り口に可動蓋板が枢設されて抜き取り口を遮蔽可能で、スライドシートが横向き開口を具えた桶状とされ、箱体のスライドシート内に設置され、スライドシートの上面に哺乳瓶の瓶挿入口が設けられ、スライドシートが箱体より引き出された後にその瓶挿入口が露出させられ、スライドシート底部にトレイが設けられ、トレイの下に電熱装置が接合されて箱体及びスライドシート内部の収容物を加熱できることを特徴とする、ウエットティッシュと哺乳瓶加熱装置。
【請求項２】
請求項１記載のウエットティッシュと哺乳瓶加熱装置において、蓋板の底部に突出する凸塊が設けられ、上蓋の該凸塊に対向する位置に凸塊を支持する弾性片が設けられ、蓋板の別端にフック溝が設けられ、該フック溝がシーソー式に上蓋に枢設された弾性片の一端のフックに係止され、この弾性片の別端がボタン押圧を受ける時にフックを駆動し蓋板を釈放して弾性開放させることを特徴とする、ウエットティッシュと哺乳瓶加熱装置。
【請求項３】
請求項１記載のウエットティッシュと哺乳瓶加熱装置において、スライドシートの上方の瓶挿入口に伸縮弾性を具えた結束リングが設けられ、異なる口径の哺乳瓶に組合せ可能とされ、箱体内部の密閉性が強化されたことを特徴とする、ウエットティッシュと哺乳瓶加熱装置。
【請求項４】
請求項１記載のウエットティッシュと哺乳瓶加熱装置において、スライドシートの側面にハンドルが嵌合され、該ハンドルがスライドシートの内外を貫通し、その内側面が指示ランプの受光面とされ、ハンドルが透光材質で形成されて指示ランプのランプカバーとされたことを特徴とする、ウエットティッシュと哺乳瓶加熱装置。
【考案の詳細な説明】
【技術分野】
【０００１】
本考案は一種のウエットティッシュと哺乳瓶加熱装置に係り、特に、収合してケース状に、或いは展開してボックス状とすることができるウエットティッシュボックスと、哺乳瓶加熱装置が一体に設けられた新規な構造とされ、上蓋、底座で構成されてウエットティッシュを収容する箱体と、哺乳瓶が挿入されるスライドシートと電熱装置で構成され、スライドシートが箱体の一側に形成された滑り溝内に設置され、箱体の上蓋の上面にウエットティッシュの抜き取り口が設けられ、加熱したウエットティッシュの抜き取り箱とされ、スライドシートの上面に哺乳瓶の瓶挿入口が設けられ、スライドシートが箱体より引き出しのように引き出された後に瓶挿入口を露出させて加熱された哺乳瓶を取り出すことができ、構造上、上述の特別な機能を達成すると共に、箱体が収合されウエットウエットティッシュケースの大きさにできる箱体とされ、その外形もまた完全性を保持するものに関する。
【背景技術】
【０００２】
ウエットティッシュケースは箱体の上蓋上面にウエットティッシュの抜き取り口が設けられ、簡単に上方よりウエットティッシュを抜き取ることができる。ウエットティッシュは寒冷な冬の日に使用すると冷たく快適でなく、特に敏感な乳児に使用する場合はそうである。
【考案の開示】
【考案が解決しようとする課題】
【０００３】
本考案は一種のウエットティッシュと哺乳瓶加熱装置を提供することを目的とし、それは温暖なウエットティッシュを提供できると共に、乳児にウエットティッシュを使用する機会が多いことから、哺乳瓶も加熱できる機能を具え、哺乳瓶加熱が不要な時には収合して一般のウエットティッシュケースとして使用できるウエットティッシュと哺乳瓶加熱装置を提供することを課題としている。
【課題を解決するための手段】
【０００４】
請求項１の考案は、上蓋、底座で構成されてウエットティッシュを収容する箱体と、哺乳瓶が挿入されるスライドシート及び電熱装置で構成され、該箱体の一側に滑り溝が形成され、箱体の上蓋上面にウエットティッシュの抜き取り口が設けられ、抜き取り口に可動蓋板が枢設されて抜き取り口を遮蔽可能で、スライドシートが横向き開口を具えた桶状とされ、箱体のスライドシート内に設置され、スライドシートの上面に哺乳瓶の瓶挿入口が設けられ、スライドシートが箱体より引き出された後にその瓶挿入口が露出させられ、スライドシート底部にトレイが設けられ、トレイの下に電熱装置が接合されて箱体及びスライドシート内部の収容物を加熱できることを特徴とする、ウエットティッシュと哺乳瓶加熱装置としている。
請求項２の考案は、請求項１記載のウエットティッシュと哺乳瓶加熱装置において、蓋板の底部に突出する凸塊が設けられ、上蓋の該凸塊に対向する位置に凸塊を支持する弾性片が設けられ、蓋板の別端にフック溝が設けられ、該フック溝がシーソー式に上蓋に枢設された弾性片の一端のフックに係止され、この弾性片の別端がボタン押圧を受ける時にフックを駆動し蓋板を釈放して弾性開放させることを特徴とする、ウエットティッシュと哺乳瓶加熱装置としている。
請求項３の考案は、請求項１記載のウエットティッシュと哺乳瓶加熱装置において、スライドシートの上方の瓶挿入口に伸縮弾性を具えた結束リングが設けられ、異なる口径の哺乳瓶に組合せ可能とされ、箱体内部の密閉性が強化されたことを特徴とする、ウエットティッシュと哺乳瓶加熱装置としている。
請求項４の考案は、請求項１記載のウエットティッシュと哺乳瓶加熱装置において、スライドシートの側面にハンドルが嵌合され、該ハンドルがスライドシートの内外を貫通し、その内側面が指示ランプの受光面とされ、ハンドルが透光材質で形成されて指示ランプのランプカバーとされたことを特徴とする、ウエットティッシュと哺乳瓶加熱装置としている。
【考案の効果】
【０００５】
本考案のウエットティッシュと哺乳瓶加熱装置は、温暖なウエットティッシュを提供できると共に哺乳瓶を加熱する機能も有し、特に、哺乳瓶を加熱する必要がない時は、収合して一般のウエットティッシュケースのサイズとでき、その構造及び機能は従来にはなく、新規性、実用性を具えている。
【考案を実施するための最良の形態】
【０００６】
本考案は上蓋、底座で構成されてウエットティッシュを収容する箱体と、哺乳瓶が挿入されるスライドシート及び電熱装置で構成され、該箱体の一側に滑り溝が形成され、箱体の上蓋上面にウエットウエットティッシュの抜き取り口が設けられ、抜き取り口に可動蓋板が枢設されて抜き取り口を遮蔽可能で、スライドシート上面に哺乳瓶の瓶挿入口が設けられ、スライドシートが箱体より引き出しのように引き出された後にその瓶挿入口が露出させられ、スライドシート底部にトレイが設けられ、トレイの下に電熱装置が接合されて箱体及びスライドシート内部の収容物を加熱できる。
【０００７】
上述の箱体の上蓋、底座は一端がピンで枢設されて開閉可能とされている。
【０００８】
上述の上蓋の抜き取り口の蓋板は、抜き取り口に近い一端に軸ピン或いは軸孔が設けられ、抜き取り口の蓋板に近い一端に対応するピン孔或いは軸ピンが設けられ、これにより蓋板が抜き取り口の上方に枢設され、蓋板底部に突出する凸塊が設けられ、上蓋の対応位置に凸塊を支持する弾性片が設けられ、蓋板の別端にフック溝が設けられ、フック溝がシーソ板式に上蓋に枢設された弾性片の一端のフックに係止され、該弾性片の別端がボタン押圧を受ける時、フックが開かれて蓋板が開かれる。
【０００９】
上述のスライドシートの側面にハンドルが嵌合され、該ハンドルはスライドシートの内外を貫通し、その内側面が指示ランプの受光面とされ、ハンドルは透光材料で形成されて指示ランプのカバーとされる。
【実施例１】
【００１０】
図１は本考案の立体図であり、それはウエットティッシュと哺乳瓶加熱装置の収容状態を示す。そのうち、外観から見える部分は、上蓋１２、底座１１が組み合わされてウエットティッシュを収容する箱体１、哺乳瓶が挿入されるスライドシート２を具え、箱体１の一側に滑り溝１１１が形成され、箱体１の上蓋１２の上面にウエットティッシュの抜き取り口が設けられ、抜き取り口に可動式の蓋板１４が枢設されて抜き取り口を遮蔽可能とされ、蓋板１４の一端に操作用のボタン１３が設けられ、上述のスライドシート２は箱体１の滑り溝１１１内に横向きに収容され、スライドシート２の側面にランプカバー２１が嵌め込まれ、電源状態表示を行なう。
【００１１】
図２はウエットティッシュと哺乳瓶加熱装置のウエットティッシュ抜き取りの使用状態を示す。そのうち、箱体１の上蓋１２の上方の可動蓋板１４は開かれ直立状とされ、上蓋１２の上面のウエットティッシュの抜き取り口１２１はこれにより露出され、該蓋板１４は一端が軸ピンで上蓋１２に枢設され、その底部に凸塊１４３が凸設され、上蓋１２の該凸塊１４３に対応する位置に凸塊１４３を指示する弾性片１２２が設けられ、蓋板１４の別端にフック溝１４２が設けられ、蓋板１４がボタン１３の制御を受け、ボタン１３が押される時、蓋板１４が弾性開放される。
【００１２】
図３にはウエットティッシュと哺乳瓶加熱装置の哺乳瓶加熱の使用状態が示される。箱体１の滑り溝１１１内に横向きに収納されたスライドシート２は箱体１より引き出しのように引き出された後にその瓶挿入口２３が露出し、哺乳瓶加熱に供される。瓶挿入口２３には伸縮弾性に富む結束リング２３１が嵌合され、結束リング２３１に良好な剛性を有する結束リングフレーム２３２が増設され、これにより結束リング２３１が瓶挿入口２３に固定され、異なる口径の哺乳瓶Ｂに合わせて、結束リング２３１が瓶本体を結束挟持し、瓶口径と瓶挿入口２３の間隙を消去し、箱体内部の密閉性を保持する。
【００１３】
ウエットティッシュ補充の方式は図４に示されるようである。箱体１の上蓋１２と底座１１の一端が軸ピンで枢設され、別端は可動端とされ、これにより上蓋１２が上向きに開かれた後、スライドシート２が底座１１中に挿入され、ウエットティッシュＴの一部がスライドシート２に挿入された後、さらに底座１１内に圧入される。或いは図５に示されるように、スライドシート２が外向きに引き出された後、ウエットティッシュＴが置かれ、更に逆方向の操作でスライドシート２が押し戻され（この時スライドシート２中には哺乳瓶Ｂを置く事はできない）、その後、上蓋１２が戻されるか、或いは、先に上蓋１２を閉じてからスライドシート２が押し戻される。
【００１４】
ウエットティッシュと哺乳瓶用加熱機の詳細な構造は図６の立体分解図に示されるとおり箱体１を構成する主要な部品である上蓋１２は、その上面のほぼ中央位置にウエットティッシュの抜き取り口１２１が設けられ、抜き取り口１２１の一端に一対の軸孔１２３が設けられ、軸孔１２３から離れた位置に弾性片１２２の構造が設けられ、抜き取り口１２１の別の一端にボタンシート１２４が設けられ、ボタンシート１２４中に湾曲する弾性片１２６が設けられ、弾性片１２６の一端がシーソー式のフック１２７を支持し、ボタンシート１２４上にボタン１３が配置され、ボタン１３は一対の軸ピン１３１とされ中間のてこ構造に設けられる。蓋板１４は一端両側に一対の軸ピン１４１が設けられ、別端に横向きにフック溝１４２が設けられた板体とされ、その底部に上蓋１２の弾性片１２２に対応する突出する凸塊１４３がある。底座１１の内部にウエットティッシュを収容する空間が設けられ、底座１１内に開口が一側に向いた滑り溝１１１が設けられ、滑り溝１１１の壁に突出する一対のガイドブロック１１２が設けられ、底座１１の一端に上蓋１２の軸孔１２３に組み合わされる軸ピン１１３が設けられている。スライドシート２は横向き開口を具えた桶状体とされ、その上面に哺乳瓶の瓶挿入口２３が設けられ、スライドシート２の両側にガイド溝２４が設けられて底座１１のガイドブロック１１２に組み合わされる。トレイ２２は板状とされ、その一端に指示ランプシート２２１が設けられ、トレイの下に電熱装置３が接合され、電熱装置３は発熱体３１、フレーム３２、押し板３３、導熱板３４、及び指示ランプ３５、電源線３６を具え、該導熱板３４は平らにトレイ２２底部に接合されて冷却面積が増加され、フレーム３２は発熱体３１を固定する保護カバーとされ、並びに発熱体３１の両端の導熱板３４と押し板３３の間のスペーサとされる。スライドシートの瓶挿入口２３に設けられる結束リング２３１は伸縮弾性に富む材料で形成され、結束リング２３１に剛性が良好な材料で形成された結束リングフレーム２３２が増設されて、結束リング２３１を瓶挿入口２３に固定する時の結合力を強化する。
【００１５】
組立完成したウエットティッシュと哺乳瓶加熱装置は、図７に示されるように、上蓋１２と底座１１からなる箱体１の内部がウエットティッシュＴの収容空間とされ、上蓋１２と底座１１が図の左の軸ピン１１３と軸孔１２８で枢設され、箱体１の右辺のスライドシート２は、その開口が内向きとされスライドシート２内部空間と箱体１の内部空間が一体に併合され、スライドシート２の底部に固定されたトレイ２２の底面に電熱装置３が接合され、電源線３６は右側出口より引き出され、指示ランプ３５は直立する指示ランプシート２２１に接合され、その右側にスライドシート２の側壁に設けられたランプカバー２１が隣接し、上蓋１２の上面の抜き取り口１２１の一端に設けられた一対の軸孔１２３に蓋板１４の一端の一対の軸ピン１４１が枢設され、蓋板１４が押し下げられた後に抜き取り口１２１を閉じる。蓋板１４の別端に設けられたフック溝１４２はフック１２７上端のフック部に係止され、フック１２７は直立式板状とされ、その中間がボタンシート１２４の底板に接続され、ボタンシート１２４中に右側が高く湾曲する弾性片１２６が設けられ、弾性片１２６一端がフック１２７の底部を支持し、ボタンシート１２４にボタン１３が配置され、ボタン１３の中間の軸ピン１３１がボタンシート１２４中の軸孔１２５に枢設され、ボタン１３の右半分を押圧すると、弾性片１２６が押動され更にフック１２７が連動されて蓋板１４のフック溝１４２に対する係止を釈放し、蓋板１４がフック１２７の係止を受けなくなって自動的に弾性開放され、そのメカニズムは本考案の図８の局部構造断面に示されるとおりである。蓋板１４がフックの係止を受ける時は、右図のように、蓋板１４底部の凸塊１４３が弾性片１２２上に支持され、弾性片１２２がやや下に沈み（弾性辺のもとの位置は点線で表示）、蓋板１４が釈放された後、弾性片１２２がもとの位置に戻る時、蓋板１４は開放され直立状となる（左図参照）。
【図面の簡単な説明】
【００１６】
【図１】本考案の立体図である。
【図２】本考案の使用例の立体図である。
【図３】本考案の別の使用例の立体図である。
【図４】本考案のウエットティッシュ装填状態例一の表示図である。
【図５】本考案のウエットティッシュ装填状態例二の表示図である。
【図６】本考案の立体分解図である。
【図７】本考案の構造二面図（縦断面構造図を含む）である。
【図８】本考案の局部構造断面図である。
【符号の説明】
【００１７】
１  箱体              １１  底座                    １１１  滑り溝
１１２  ガイドブロック  １１３  軸ピン              １２  上蓋
１２１  抜き取り口      １２２  弾性片              １２３  軸孔
１２４  ボタンシート    １２５  軸孔                １２６  弾性片
１２７  フック          １２８  軸ピン              １３  ボタン
１３１  軸ピン          １４  蓋板                  １４１  軸ピン
１４２  フック溝        １４３  凸塊                ２  スライドシート
２１  ランプカバー      ２２  トレイ                ２２１  指示ランプシート
２３  瓶挿入口          ２３１  結束リング          ２３２  結束リングフレーム
２４  ガイド溝          ３  電熱装置                ３１  発熱体
３２  フレーム        ３３  押し板                  ３４  導熱板
３５  指示ランプ      ３６  電源線
Ｂ  哺乳瓶            Ｔ  ウエットティッシュ
【図１】
0003108120.tif 000003
【図２】
0003108120.tif 000004
【図３】
0003108120.tif 000005
【図４】
0003108120.tif 000006
【図５】
0003108120.tif 000007
【図６】
0003108120.tif 000008
【図７】
0003108120.tif 000009
【図８】
0003108120.tif 000010